(57)【要約】【課題】  小型で持ち運びが簡単で、しかも頸部の保護が確実にできる防災フードを提供する。【解決手段】  本発明の防災フード１０は、頭上部と顔の両側面を覆う第１のエアーバッグ１１と、後頭部から背中上部を覆う第２のエアーバッグ１２と、第１と第２のエアーバッグに圧縮ガスを供給して両エアーバッグを膨らませる小型ガスボンベ１３と、小型ガスボンベを開放するガス充填装置１４と、第１と第２のエアーバッグ、小型ガスボンベ及びボンベ開放装置を纏めて折り畳んで収容する袋体２０とを有し、小型ガスボンベ１３を開放するレバーを回動する操作部としての紐１５が、袋体２０の外側に露出し、操作部により小型ガスボンベを開放したとき、第１のエアーバッグと第２のエアーバッグとが同時に膨らんで袋体から飛び出して使用可能状態になる。【選択図】      図１
2009297375.tif 000002
【特許請求の範囲】
【請求項１】
頭上部と顔の両側面を覆う第１のエアーバッグと、該第１のエアーバッグと連通し、後頭部から背中上部を覆う第２のエアーバッグと、前記第１と第２のエアーバッグに圧縮ガスを供給して両エアーバッグを膨らませる小型ガスボンベと、該小型ガスボンベを開放するボンベ開放装置と、前記第１と第２のエアーバッグ、小型ガスボンベ及びボンベ開放装置を纏めて折り畳んで収容する袋体とを有し、前記袋体が開閉自在な開口を有し、前記開放装置が前記小型ガスボンベを開放するレバーを備え、該レバーを回動する操作部が、前記開口から袋体の外側に露出し、前記操作部により前記小型ガスボンベを開放したとき、前記第１のエアーバッグと第２のエアーバッグとが同時に膨らんで前記袋体から飛び出して使用可能状態になることを特徴とする防災フード。
【請求項２】
前記袋体の開閉自在な開口が、面ファスナーで閉止されることを特徴とする請求項１記載の防災フード。
【請求項３】
前記第１と第２のエアーバッグが、複数の棒状小エアーバッグを横方向に連結させたものであることを特徴とする請求項１又は２に記載の防災フード。
【請求項４】
前記第１と第２のエアーバッグが、ナイロンの基布にポリウレタンエラストマーを貼付した難燃性の素材からなることを特徴とする請求項１から３のいずれかに記載の防災フード。
【請求項５】
前記袋体にベルト通しを設けたことを特徴とする請求項１から４のいずれかに記載の防災フード。
【請求項６】
前記袋体内に、前記エアーバッグと共に非常食を入れたことを特徴とする請求項１から５のいずれかに記載の防災フード。
【発明の詳細な説明】
【技術分野】
【０００１】
本発明は、地震、火災、火山の爆発などの災害時に瞬時に成形して使用することができる防災フードに関し、特に、通常は小さく折り畳まれており、緊急時には、瞬時に大きくなって使用可能となる防災フードに関する。
【背景技術】
【０００２】
防災フードとしては、従来から種々のものが提案されている。例えば、特許文献１（実公昭５８−６３４３号）では、リュックサックの蓋の裏側に頭部を覆うフードを収容し、災害時にすぐに取り出して使用できるようにしたものが提案されている。
【０００３】
しかし、このフードは、薄いものなので、頭部の保護が不十分である。一方、頭部の保護が十分できるように厚くすると、収容スペースが大きくなり、平常時には邪魔になってしまう。
【０００４】
そこで、特許文献２（特開平９−１３１２２２号）では、頭部を覆うエアーバッグと、背部を覆うエアーバッグを取り付けたリュックサックを提案している。災害時には、２つのエアーバッグを、自動ガス充填装置により膨らませて使用する。
【０００５】
しかし、これは頭部用のエアーバッグを膨らませる自動ガス充填装置と、背部を覆うエアーバッグを膨らませる自動ガス充填装置とを別々に設けたもので、使用方法が煩わしい。また、リュックサックに２つのエアーバッグを取り付けているので、リュックサックと一緒に持ち運ぶ必要があり、持ち運びにくいという問題がある。
【０００６】
また、特許文献３（特許第３３４８２４１号）では、リュックサックの上部に頭巾収納用帯を設け、ここにエアーバッグ式の頭巾を折り畳んで収容するものを提案している。災害時には、このエアーバッグをガス充填装置で瞬時に膨らますことで、頭部を保護できるようになっている。
【特許文献１】実公昭５８−６３４３号
【特許文献２】特開平９−１３１２２２号
【特許文献３】特許第３３４８２４１号
【発明の開示】
【発明が解決しようとする課題】
【０００７】
しかし、これもリュックサックを使用していない場合には、利用できない、また、リュックサックと一体なので、大きくなってしまい、持ち運びが不便であるという問題がある。また、エアーバッグにより頭部は保護されるが、頸部の保護が十分ではないという問題もあった。災害時には、頭上から多様なものが落下するので、頭部の保護だけでは不十分であり、頸部を確実に保護する必要がある。
【０００８】
本発明は、上記の問題の解決を図ったもので、小型で持ち運びが簡単で、しかも頸部の保護が確実にできる防災フードを提供することを目的としている。
【課題を解決するための手段】
【０００９】
上記の問題を解決するために本発明の防災フードは、頭上部と顔の両側面を覆う第１のエアーバッグと、該第１のエアーバッグと連通し、後頭部から背中上部を覆う第２のエアーバッグと、前記第１と第２のエアーバッグに圧縮ガスを供給して両エアーバッグを膨らませる小型ガスボンベと、該小型ガスボンベを開放するボンベ開放装置と、前記第１と第２のエアーバッグ、小型ガスボンベ及びボンベ開放装置を纏めて折り畳んで収容する袋体とを有し、前記袋体が開閉自在な開口を有し、前記開放装置が前記小型ガスボンベを開放するレバーを備え、該レバーを回動する操作部が、前記開口から袋体の外側に露出し、前記操作部により前記小型ガスボンベを開放したとき、前記第１のエアーバッグと第２のエアーバッグとが同時に膨らんで前記袋体から飛び出して使用可能状態になることを特徴としている。
【００１０】
前記袋体の開閉自在な開口が、面ファスナーで閉止される構成としたり、前記第１と第２のエアーバッグが、複数の棒状小エアーバッグを横方向に連結させた構成としたり、前記第１と第２のエアーバッグが、ナイロンの基布にポリウレタンエラストマーを貼付した難燃性の素材からなる構成としたり、前記袋体にベルト通しを設けた構成としたり、前記袋体内に、前記エアーバッグと共に非常食を入れたりすることができる。
【発明の効果】
【００１１】
本発明の防災フードによれば、リュックサックに取り付けていないので、小型化でき、持ち運びが容易になる。また、第２のエアーバッグがあるので、頸部を確実に保護することができ、安全性に優れているという優れた効果を奏し得る。また、エアーバッグを使用するので、水難事故などでは浮き袋体として使用することもできる。
【００１２】
袋体の開口を面ファスナーにすれば、小型ガスボンベでエアーバッグを膨らませたとき、防災フードが簡単に袋体から飛び出すことができ、また、防災フードを折り畳んで袋体内に収容する場合も簡単に収容できる。
【００１３】
エアーバッグを複数の棒状小エアーバッグを連結した構成にすることで、衝撃に強いエアーバッグを得ることができる。エアーバッグを難燃性の素材で作ることで、火災にも強くなる。
【発明を実施するための最良の形態】
【００１４】
以下、本発明の実施の形態を添付図面を参照して説明する。
【００１５】
図１は、本発明の防災フードを使用状態にした図で、図２は頭部に装着した状態を示す図である。防災フード１０は、頭部の上面と左右側面を覆う第１のエアーバッグ１１と、後頭部から頸部を経て背中の上部までを覆う第２のエアーバッグ１２と、第２のエアーバッグ１２に取り付けられた圧縮ガスの小型ガスボンベ１３と、ガス充填装置１４とを有する。ガス充填装置１４には、操作部となる紐１５があり紐の先端には握り１５ａが設けられている。また、第１のエアーバッグ１１の左右両下端には、第１のエアーバッグ１１を頭部に固定するための顎紐１６が取り付けられ、第２のエアーバッグ１２には、第２のエアーバッグを体にくくりつけて背中等に固定するための紐１７が取付られている。顎紐１６と紐１７の先端には、面ファスナー１６ａ，１７ａが付けられ、簡単に固着できるようになっている。符号１８は、エアー抜きの弁で、防災フード１０の使用が終わったときにエアーバッグ内のガスを抜いて折り畳めるようにするものである。
【００１６】
第１のエアーバッグ１１は、複数の棒状小エアーバッグ１１ａを横方向に連結させたものなので、第１のエアーバッグ１１が頭部、顔の両側面に沿って曲がりやすくなっている。また、背中に伸びる第２のエアーバッグ１２も、複数の棒状小エアーバッグ１２ａを横方向に連結させたものとなっているので、丈夫であり、衝撃に強くなっている。
【００１７】
第１のエアーバッグ１１と第２のエアーバッグ１２は、内部空間が連通しており、いずれか１の棒状小エアーバッグ１１ａ又は１２ａに圧縮ガスを入れると、圧縮ガスは瞬時に全ての棒状小エアーバッグ１１ａ、１２ａ内に入り、これらを膨らませることができる。
【００１８】
また、第１のエアーバッグ１１と第２のエアーバッグ１２は、ナイロン製の基布に、ポリウレタンエラストマーを塗布したもので、難燃性で、撥水性があり、かつ、気密性もあり、エアーバッグに入った圧縮ガスが非常に漏れにくい構造になっている。したがって、地震などで使用している際に、頭上から落下してきたものを受け、頭部や頸部を十分に保護することができる。
【００１９】
図３はガス充填装置１４の外観を示す斜視図で、（ａ）は作動前の状態、（ｂ）は作動後の状態を示す。図４は、ガス充填装置１４の断面図で、（ａ）は作動前の状態、（ｂ）は作動後の状態を示す。
【００２０】
これらの図に示すように、小型ガスボンベ１３はねじでガス充填装置１４に取り付けられている。ガス充填装置１４には、インサート針１４ａがあり、バネ１４ｂによって先端が小型ガスボンベ１３から離れる方向に付勢されている。インサート針１４ａの後端は、回動レバー１４ｃの一端と当接しており、回動レバー１４ｃは、回動軸１４ｄを軸に回転することができる。回動レバー１４ｃの他端には操作部としての紐１５が接続され、紐１５の先端には握り１５ａがある。回動レバー１４ｃは、安全ピン１４ｅにピンが入っており、不用意に回動できないようになっている。
【００２１】
ガス充填装置１４を作動させるには、安全ピン１４ｅを引き抜いて握り１５ａを持って紐１５を引っ張り、回動レバー１４ｃを図４（ａ）から（ｂ）のように回転する。すると、回動レバー１４ｃの一端がインサート針１４ａの後端を押し、インサート針１４ａは小型ガスボンベ１３に向かって進み、小型ガスボンベ１３の開口部に設けられた封板を突き破る。これによって、小型ガスボンベ１３から圧縮炭酸ガスが噴出し、穴１４ｆからガス充填装置１４に連結されたエアーバッグ１１、１２に炭酸ガスが充填される。使用済の小型ガスボンベ１３は取り外して、新規なものと交換することができる。
【００２２】
図５（ａ）は、本発明の防災フードを折り畳み、袋体２０に収容した状態を示し、（ｂ）は袋体２０の開口を開いた状態を示す図である。袋体２０は四角の布を２枚張り合わせたもので、４辺の内の２辺は縫い合わせており、残りの２辺が面ファスナー２０ａで開閉自在な状態である。防災フード１０のエアーバッグ１１、１２内のエアーを抜き出し、小さく折り畳んで袋体２０内に入れ、面ファスナー２０ａで閉じる。紐１５と握り１５ａとが袋体２０の外に出るようにする。
【００２３】
袋体２０には、ベルト通し２１、２１を設けておけば、ズボンのベルトを通してズボンに固定することができる。袋体２０には、一端に環２２を取り付けている。使用時には、この環２２を手で掴み、袋体２０が下方に垂れ下がった状態にして握り１５ａを強く引っ張る。すると、小型ガスボンベ１３が開放され、ボンベ内の圧縮炭酸ガスがエアーバッグ１１、１２内に進入し、瞬時に膨らみ、面ファスナー２０ａを剥がして飛び出し、図１に示す状態となり、着用可能となる。
【００２４】
図２は、本発明の防災フードを頭部に着用した状態である。第１のエアーバッグ１１が頭部の上面と顔の両側面を覆い、第２のエアーバッグ１２が後頭部、頸部及び背部の上部を覆う。
【００２５】
図１の状態になった防災フード１０は、第１のエアーバッグ１１、第２のエアーバッグ１２が共に高圧ガスに充填されているので、非常に硬くなっている。特に、複数の棒状の棒状小エアーバッグ１１ａ、１２ａを横方向に連結した構成なので、強度を上げることができる。従来の防災フードでは、フードを着用しているにも拘わらず、頸部や背中に落下物が当たって怪我をする可能性が高かった。これに対し、本発明の防災フード１０によれば、頭部は勿論、十分な強さの第２のエアーバッグ１２があるので、頸部や背中に落下物が衝突しても、頸部や背中を傷めることなく、十分に保護することが可能となった。また、袋体２０内には、防災フード１０とともに非常食を入れておくとよい。非常食によって、かなりの期間を持ちこたえることができるからである。
【図面の簡単な説明】
【００２６】
【図１】本発明の防災フードを使用状態にした図である。
【図２】頭部に装着した状態を示す図である。
【図３】ガス充填装置の外観を示す斜視図で、（ａ）は作動前の状態、（ｂ）は作動後の状態を示す。
【図４】ガス充填装置の断面図で、（ａ）は作動前の状態、（ｂ）は作動後の状態を示す。
【図５】（ａ）は、本発明の防災フードを折り畳み、袋体に収容した状態を示し、（ｂ）は袋体の開口を開いた状態を示す図である。
【符号の説明】
【００２７】
１０      防災フード
１１      エアーバッグ
１１ａ    棒状小エアーバッグ
１２      エアーバッグ
１２ａ    棒状小エアーバッグ
１３      小型ガスボンベ
１４      ガス充填装置
１５      紐（操作部）
２０      袋体
２０ａ    面ファスナー
【図１】
2009297375.tif 000003
【図２】
2009297375.tif 000004
【図３】
2009297375.tif 000005
【図４】
2009297375.tif 000006
【図５】
2009297375.tif 000007